(57)【要約】【課題】    本発明は、荷台の移動を防止することができる立体倉庫を提供することを目的としている。【解決手段】    立体倉庫Ｒは、垂直方向に並設した複数の垂直部材１、１’、２、２’、３、３’と、この垂直部材１、１’、２、２’、３、３’に直交し、並設した複数の水平部材と、垂直部材１、１’、２、２’、３、３’又は前記水平部材に接続され、荷台４、４、４を支持する荷台支持部材５、６、７を複数備え、荷台支持部材５、６、７上に物品30を搭載した荷台４、４、４を支持させて収納する立体倉庫Ｒであって、複数の垂直部材１、１’、２、２’、３、３’の内、物品30を搭載した荷台４、４、４を受け入れる側に位置する並設した第１、第２の垂直部材１、２と、荷台支持部材５、６、７の上面より上に位置し、荷台４、４、４の前面への移動を荷台４、４、４に当接して阻止するように取り付けられたストッパ−Ｓ1 とを有するものである。【選択図】図１
2004359463.tif 000002
【特許請求の範囲】
【請求項１】
垂直方向に並設した複数の垂直部材と、この垂直部材に直交し、並設した複数の水平部材と、前記垂直部材又は前記水平部材に接続され、荷台を支持する荷台支持部材を複数備え、前記荷台支持部材上に物品を搭載した前記荷台を支持させて収納する立体倉庫であって、
前記複数の垂直部材の内、前記物品を搭載した前記荷台を受け入れる側に位置する並設した第１、第２の垂直部材と、
前記荷台支持部材の上面より上に位置し、前記荷台の前面への移動を前記荷台に当接して阻止するように取り付けられたストッパ−とを有し、
このストッパ−は、前記第１の垂直部材、前記第２の垂直部材、前記水平部材、前記荷台支持部材の内の何れか一つに取り付けられていることを特徴とする立体倉庫。
【請求項２】
ストッパ−は、ストッパ−部材とストッパ−取り付け部材とを有し、
前記ストッパ−部材は、第１の垂直部材の外周に当接するＵ字状の当接部、このＵ字状の当接部の端部よりそれぞれ張り出す張り出し部を備え、
前記ストッパ−取り付け部材は、前記第１の垂直部材を介して前記ストッパ−部材に対向し、
前記ストッパ−部材と前記ストッパ−取り付け部材で前記第１の垂直部材を挟持し、
この挟持状態は、前記ストッパ−部材と前記ストッパ−取り付け部材とを結合する結合部材により保持されることを特徴とする請求項１記載の立体倉庫。
【請求項３】
ストッパ−は、ストッパ−部材とストッパ−取り付け部材とを有し、          このストッパ−取り付け部材は、前記第１の垂直部材の外周に当接するようにＵ字状をなし、
前記ストッパ−部材は、前記第１の垂直部材に当接する板材で、この板材には、前記ストッパ−取り付け部材のＵ字状の両端を通す複数の貫通孔が設けられ、
前記ストッパ−取り付け部材のＵ字状の両端を前記ストッパ−部材の複数の貫通孔を通して前記ストッパ−部材と前記ストッパ−取り付け部材で前記第１の垂直部材を挟持し、
この挟持状態は、前記ストッパ−部材と前記ストッパ−取り付け部材とを結合する結合部材により保持されることを特徴とする請求項１記載の立体倉庫。
【請求項４】
垂直方向に並設した複数の垂直部材と、この垂直部材に直交し、並設した複数の水平部材と、前記垂直部材に接続され、荷台を支持する荷台支持部材を複数備え、前記荷台支持部材上に物品を搭載した前記荷台を支持させて収納する立体倉庫であって、
前記複数の垂直部材の内、前記物品を搭載した荷台を受け入れる側に位置する並設した第１、第２、第３の垂直部材と、
この第１、第２、第３の垂直部材は、前記第１、第２、第３の垂直部材の順に水平方向に並設し、
前記第１の垂直部材の後方に位置する第１’の垂直部材と、
前記第２の垂直部材の後方に位置する第２’の垂直部材と、
前記第１の垂直部材、前記第１’の垂直部材、前記第２の垂直部材、前記第２’の垂直部材に接続された第１の荷台支持部材と、
前記第３の垂直部材の後方に位置する第３’の垂直部材と、
この第３’の垂直部材、前記第３の垂直部材、前記第２の垂直部材、前記第２’の垂直部材に接続された第２の荷台支持部材と、
前記第２の荷台支持部材と前記第１の荷台支持部材は、隣接すると共に略同一水平方向に位置し、
前記第１の荷台支持部材及び前記第２の荷台支持部材の上面より上に位置し、前記第１の荷台支持部材に支持された荷台及び前記第２の荷台支持部材に支持された荷台の前面への移動を前記荷台に当接して阻止するように、前記第１の垂直部材及び前記第３の垂直部材に向かうように水平方向に張り出して前記第２の垂直部材に取り付けられたストッパ−と、
を有することを特徴とする立体倉庫。
【請求項５】
第１の荷台支持部材は、二分割され、分割片の一方は、第１の垂直部材と第１’の垂直部材に接続され、分割片の他方は、第２の垂直部材と第２’の垂直部材に接続され、
第２の荷台支持部材は、二分割され、分割片の一方は、第２の垂直部材と第２’の垂直部材に接続され、分割片の他方は、第３の垂直部材と第３’の垂直部材に接続され
ていることを特徴とする請求項４記載の立体倉庫。
【発明の詳細な説明】
【技術分野】
【０００１】
本発明は、立体倉庫に係り、特に、立体倉庫に収納された荷台の移動を防止することができる立体倉庫に関する。
【背景技術】
【０００２】
従来、垂直方向に並設した複数の垂直部材と、この垂直部材に接続され、荷台を支持する荷台支持部材とを備え、前記荷台支持部材上に物品を搭載した前記荷台を支持させて収納する立体倉庫がある。
この立体倉庫には、荷台と、この荷台上に搭載した物品との間には、両者を固定する固定手段が設けられ、また、荷台を受け入れる側と対向する側、つまり、荷台上に搭載した物品の背面側には、落下防止用の部材が、クロス状に設けられている。
【発明の開示】
【発明が解決しようとする課題】
【０００３】
しかしながら、従来の立体倉庫には、荷台と該荷台上に搭載した物品とは固定手段により固定されているものの、物品を搭載した荷台が地震等により荷台支持部材上を荷台を受け入れる側へ移動しようとした場合、阻止するものがなく、物品を搭載した荷台が落下し、非常に危険であるという問題点がある。
本発明は、上述した問題点を除去するようにした立体倉庫を提供するものである。
【課題を解決するための手段】
【０００４】
上記目的を達成するために、請求項１記載の立体倉庫は、垂直方向に並設した複数の垂直部材と、この垂直部材に直交し、並設した複数の水平部材と、前記垂直部材又は前記水平部材に接続され、荷台を支持する荷台支持部材を複数備え、前記荷台支持部材上に物品を搭載した前記荷台を支持させて収納する立体倉庫であって、前記複数の垂直部材の内、前記物品を搭載した前記荷台を受け入れる側に位置する並設した第１、第２の垂直部材と、前記荷台支持部材の上面より上に位置し、前記荷台の前面への移動を前記荷台に当接して阻止するように取り付けられたストッパ−とを有し、このストッパ−は、前記第１の垂直部材、前記第２の垂直部材、前記水平部材、前記荷台支持部材の内の何れか一つに取り付けられている。
【０００５】
また、請求項２記載の立体倉庫は、請求項１記載の立体倉庫において、ストッパ−は、ストッパ−部材とストッパ−取り付け部材とを有し、前記ストッパ−部材は、第１の垂直部材の外周に当接するＵ字状の当接部、このＵ字状の当接部の端部よりそれぞれ張り出す張り出し部を備え、前記ストッパ−取り付け部材は、前記第１の垂直部材を介して前記ストッパ−部材に対向し、前記ストッパ−部材と前記ストッパ−取り付け部材で前記第１の垂直部材を挟持し、この挟持状態は、前記ストッパ−部材と前記ストッパ−取り付け部材とを結合する結合部材により保持される。
【０００６】
また、請求項３記載の立体倉庫は、請求項１記載の立体倉庫において、ストッパ−は、ストッパ−部材とストッパ−取り付け部材とを有し、このストッパ−取り付け部材は、前記第１の垂直部材の外周に当接するようにＵ字状をなし、前記ストッパ−部材は、前記第１の垂直部材に当接する板材で、この板材には、前記ストッパ−取り付け部材のＵ字状の両端を通す複数の貫通孔が設けられ、前記ストッパ−取り付け部材のＵ字状の両端を前記ストッパ−部材の複数の貫通孔を通して前記ストッパ−部材と前記ストッパ−取り付け部材で前記第１の垂直部材を挟持し、この挟持状態は、前記ストッパ−部材と前記ストッパ−取り付け部材とを結合する結合部材により保持される。
【０００７】
また、請求項４記載の立体倉庫は、垂直方向に並設した複数の垂直部材と、この垂直部材に直交し、並設した複数の水平部材と、前記垂直部材に接続され、荷台を支持する荷台支持部材を複数備え、前記荷台支持部材上に物品を搭載した前記荷台を支持させて収納する立体倉庫であって、前記複数の垂直部材の内、前記物品を搭載した荷台を受け入れる側に位置する並設した第１、第２、第３の垂直部材と、この第１、第２、第３の垂直部材は、前記第１、第２、第３の垂直部材の順に水平方向に並設し、前記第１の垂直部材の後方に位置する第１’の垂直部材と、前記第２の垂直部材の後方に位置する第２’の垂直部材と、前記第１の垂直部材、前記第１’の垂直部材、前記第２の垂直部材、前記第２’の垂直部材に接続された第１の荷台支持部材と、前記第３の垂直部材の後方に位置する第３’の垂直部材と、この第３’の垂直部材、前記第３の垂直部材、前記第２の垂直部材、前記第２’の垂直部材に接続された第２の荷台支持部材と、前記第２の荷台支持部材と前記第１の荷台支持部材は、隣接すると共に略同一水平方向に位置し、前記第１の荷台支持部材及び前記第２の荷台支持部材の上面より上に位置し、前記第１の荷台支持部材に支持された荷台及び前記第２の荷台支持部材に支持された荷台の前面への移動を前記荷台に当接して阻止するように、前記第１の垂直部材及び前記第３の垂直部材に向かうように水平方向に張り出して前記第２の垂直部材に取り付けられたストッパ−とを有する。
【０００８】
また、請求項５記載の立体倉庫は、請求項４記載の立体倉庫において、第１の荷台支持部材は、二分割され、分割片の一方は、第１の垂直部材と第１’の垂直部材に接続され、分割片の他方は、第２の垂直部材と第２’の垂直部材に接続され、第２の荷台支持部材は、二分割され、分割片の一方は、第２の垂直部材と第２’の垂直部材に接続され、分割片の他方は、第３の垂直部材と第３’の垂直部材に接続されている。
【発明の効果】
【０００９】
請求項１記載の立体倉庫によれば、荷台支持部材の上面より突出し、荷台の前面への移動を前記荷台に当接して阻止するように、第１の垂直部材、第２の垂直部材、水平部材、荷台支持部材の内の何れか一つに取り付けられたストッパ−という簡易な手段により、物品を搭載した荷台が地震等により前面へ移動しようとしても、阻止することができる。
【００１０】
また、請求項２記載の立体倉庫によれば、前述した請求項１記載の発明の効果に加え、ストッパ−部材とストッパ−取り付け部材で第１の垂直部材を挟持し、この挟持状態は、前記ストッパ−部材と前記ストッパ−取り付け部材とを接合する接合部材により保持されるため、ストッパ−機能を有しない立体倉庫でも容易に、しかも、前記ストッパ−部材は前記第１の垂直部材の外周形状に沿って当接するため、より確実に装着することができる。
【００１１】
また、請求項３記載の立体倉庫によれば、前述した請求項１記載の発明の効果に加え、ストッパ−取り付け部材のＵ字状の両端をストッパ−部材の複数の貫通孔を通して前記ストッパ−部材と前記ストッパ−取り付け部材で第１の垂直部材を挟持し、この挟持状態は、前記ストッパ−部材と前記ストッパ−取り付け部材とを結合する結合部材により保持されるため、ストッパ−機能を有しない立体倉庫でも容易に、しかも、前記ストッパ−部材は前記第１の垂直部材の外周形状に沿って当接するため、より確実に装着することができる。
【実施例】
【００１２】
本発明の一実施例の立体倉庫を図面を参照して説明する。
図１乃至図７において、Ｒは立体倉庫で、立体倉庫Ｒは、垂直方向に並設した複数の垂直部材１、１’、２、２’、３、３’・・・と、この垂直部材１、１’、２、２’、３、３’・・・に直交し、並設した複数の水平部材（図示せず）と、垂直部材１、１’、２、２’、３、３’・・・又は前記水平部材（図示せず）に接続され、荷台（例えば、パレット）４、４、４・・・を支持する荷台支持部材５、６、７・・・を複数備え、荷台支持部材５、６、７・・・上に物品30、30、30・・・を搭載した荷台４、４、４・・・を支持させて収納するようになっている。
【００１３】
垂直部材１、１’、２、２’と荷台支持部材５とは、連結手段、例えば、溶接により接合（接続）されている。同様に、垂直部材２、２’、３、３’と荷台支持部材６とは、連結手段、例えば、溶接により接合（接続）されている。なお、本願発明にあっては、これに限らず、例えば、垂直方向に並設した複数の垂直部材１、１’、２、２’、３、３’と水平方向に並設した複数の水平部材（図示せず）とを、連結手段、例えば、溶接により接合（接続）し、また、該水平部材（図示せず）に上述の荷台支持部材を溶接等により接合（接続）するようにしても良い。
また、本実施例にあっては、荷台支持部材５は、プレ−ト状に形成されているが、本願発明にあっては、これに限らず、例えば、垂直部材１と垂直部材１’とに接合される水平方向に位置するビ−ム（図示せず）と垂直部材２と垂直部材２’とに接合される水平方向に位置するビ−ム（図示せず）とに荷台４を係止するようにしても良い。
【００１４】
前記した複数の垂直部材１、１’、２、２’、３、３’・・・の内、並設した第１、第２、第３の垂直部材１、２、３は、物品30を搭載した荷台４を受け入れる側Ｒ1 に位置し、第１、第２、第３の垂直部材１、２、３の順に水平方向（矢印Ｘ方向）に並設している。
そして、第１の垂直部材１の後方には、垂直方向に設けられる第１’の垂直部材１’が、第２の垂直部材２の後方には、垂直方向に設けられる第２’の垂直部材２’が、第３の垂直部材３の後方には、垂直方向に設けられる第３’の垂直部材３’が、それぞれ位置し、第１’、第２’、第３’の垂直部材１’、２’、３’は第１’、第２’、第３’の垂直部材１’、２’、３’の順に水平方向（矢印Ｘ方向）に並設している。
【００１５】
５はプレ−ト状に形成された第１の荷台支持部材で、第１の荷台支持部材５は、第１の垂直部材１、第１’の垂直部材１’、第２の垂直部材２、第２’の垂直部材２’に溶接等により接合（接続）され、荷台４を支持するものである。
６はプレ−ト状に形成された第２の荷台支持部材で、第２の荷台支持部材６は、第２の垂直部材２、第２’の垂直部材２’、第３の垂直部材３、第３’の垂直部材３’に溶接等により接合（接続）され、荷台４を支持するものである。
７はプレ−ト状に形成された第３の荷台支持部材で、第３の荷台支持部材７は、第３の垂直部材３、第３’の垂直部材３’、第４の垂直部材（図示せず）、第４’の垂直部材（図示せず）に溶接等により接合（接続）され、荷台４を支持するものである。
これら第１の荷台支持部材５、第２の荷台支持部材６、第３の荷台支持部材７は、隣接すると共に略同一水平方向に位置している。
【００１６】
ストッパ−（第１のストッパ−）Ｓ1 は荷台支持部材５の上面より上に位置し、隣接する第２の垂直部材２に向かって水平方向に張り出し、荷台４の前面（物品30を搭載した荷台４を受け入れる側Ｒ1 ）への移動を荷台４に当接して阻止するように第１の垂直部材１に取り付けられている。
次に、ストッパ−Ｓ1 の第１の垂直部材１への取り付けについて、説明する。
Ｓ1 はストッパ−（第１のストッパ−）で、ストッパ−（第１のストッパ−）Ｓ1 は、例えば、図２に示すように、ストッパ−部材Ｔ1 とストッパ−取り付け部材Ｐ1 とを有している。ストッパ−部材Ｔ1 は、第１の垂直部材１の外周に当接するＵ字状の当接部、このＵ字状の当接部の端部よりそれぞれ張り出す張り出し部を備えている。
ストッパ−取り付け部材Ｐ1 は、平らな板材で、第１の垂直部材１を介してストッパ−部材Ｔ1 に対向している。このストッパ−部材Ｔ1 とストッパ−取り付け部材Ｐ1 で第１の垂直部材１を挟持する。そして、この挟持状態は、ストッパ−部材Ｔ1 とストッパ−取り付け部材Ｐ1 とを結合する結合部材100 により保持される。
接合部材100 は、例えば、ストッパ−取り付け部材Ｐ1 に設けられた穴101 に雄螺子102 を通すと共に、雄螺子102 をストッパ−部材Ｔ1 に設けた雌螺子103 に螺合させて、ストッパ−部材Ｔ1 とストッパ−取り付け部材Ｐ1 とを結合するようにしている。
【００１７】
このようにして、第１の垂直部材１は、ストッパ−部材（第１のストッパ−部材）Ｔ1 とストッパ−取り付け部材（第１のストッパ−取り付け部材）Ｐ1 で第１の垂直部材１を挟持し、この挟持は、ストッパ−部材（第１のストッパ−部材）Ｔ1 とストッパ−取り付け部材（第１のストッパ−取り付け部材）Ｐ1 とを接合する接合部材 100でなされているため、ストッパ−機能を有しない既設の立体倉庫でも容易に装着することができる。
【００１８】
なお、図２記載では、ストッパ−部材（第１のストッパ−部材）Ｔ1 とストッパ−取り付け部材（第１のストッパ−取り付け部材）Ｐ1 とを直接接合しているが、図６（ａ）に示すように、ストッパ−（第１のストッパ−）Ｓ1 と第１のストッパ−取り付け部材Ｔ1 との間に、ゴム板11を介在するようにしても良い。
また、図２記載では、ストッパ−部材（第１のストッパ−部材）Ｔ1 とストッパ−取り付け部材（第１のストッパ−取り付け部材）Ｐ1 を接合部材100 により第１の垂直部材１に取り付けたが、図示しないが、ストッパ−取り付け部材（第１のストッパ−取り付け部材）Ｐ1 、接合部材100 を使用せず、ストッパ−取り付け部材（第１のストッパ−取り付け部材）Ｐ1 を溶接により第１の垂直部材１、水平部材（図示せず）、荷台支持部材５の内の何れか一つに取り付けても良い。
【００１９】
また、Ｓ2 はストッパ−（第２のストッパ−）で、ストッパ−（第２のストッパ−）Ｓ2 は、ストッパ−（第１のストッパ−）Ｓ1 と同様に、第１の荷台支持部材５及び第２の荷台支持部材６の上面より上に位置し、第２の垂直部材２に隣接する第１の垂直部材１及び第３の垂直部材３に向かって水平方向に張り出し、荷台４の前面（物品30を搭載した荷台４を受け入れる側Ｒ1 ）への移動を荷台４に当接して阻止するように第２の垂直部材２に取り付けられ、例えば、次に述べるように、着脱自在に取り付けられている。
ストッパ−部材（第２のストッパ−部材）Ｔ2 は、ストッパ−部材Ｔ1 と同様に、第２の垂直部材２の外周に当接するＵ字状の当接部、このＵ字状の当接部の端部よりそれぞれ張り出す張り出し部を備えている（図３参照）。
ストッパ−取り付け部材（第２のストッパ−取り付け部材）Ｐ2 は、平らな板材で、第２の垂直部材２を介してストッパ−部材Ｔ2 に対向している。このストッパ−部材Ｔ2 とストッパ−取り付け部材Ｐ2 で第２の垂直部材２を挟持する。そして、この挟持状態は、ストッパ−部材Ｔ2 とストッパ−取り付け部材Ｐ2 とを結合する結合部材100 ’により保持される。
接合部材100 ’は、例えば、ストッパ−取り付け部材Ｐ2 に設けられた穴101 ’に雄螺子102 ’を通すと共に、雄螺子102 ’をストッパ−部材Ｔ2 に設けた雌螺子103 ’に螺合させて、ストッパ−部材Ｔ2 とストッパ−取り付け部材Ｐ2 とを結合するようにしている。
【００２０】
なお、図３記載では、ストッパ−部材（第２のストッパ−部材）Ｔ2 とストッパ−取り付け部材（第２のストッパ−取り付け部材）Ｐ2 を接合部材100 ’により第２の垂直部材２に取り付けたが、図示しないが、ストッパ−取り付け部材（第２のストッパ−取り付け部材）Ｐ2 、接合部材100 ’を使用せず、ストッパ−取り付け部材（第２のストッパ−取り付け部材）Ｐ2 を溶接により第２の垂直部材２、水平部材（図示せず）、荷台支持部材５、６の内の何れか一つに取り付けても良い。
【００２１】
また、図３記載では、ストッパ−（第２のストッパ−）Ｓ2 を「第２のストッパ−取り付け部材Ｐ2 、接合部材100'により第２の垂直部材２に取り付けたが、図７（ａ）に示すように、溶接でも良いし、又、図７（ｂ）に示すように、ストッパ−（第２のストッパ−）Ｓ2 を雄螺子102"により第２の垂直部材２に取り付けても良い。
【００２２】
これらストッパ−（第１のストッパ−）Ｓ1 、ストッパ−（第２のストッパ−）Ｓ2 により物品30を搭載した荷台４が地震等により前面へ移動しようとしても、その移動を阻止することができる［図４（ａ）（ｂ）参照］。
なお、特に、ストッパ−（第２のストッパ−）Ｓ2 は、一部材により第１の荷台支持部材５及び第２の荷台支持部材６（第３のストッパ−Ｓ3 にあっては、第２の荷台支持部材６及び第３の荷台支持部材７）に支持された荷台４、４の前面への移動を阻止することができるようになっている。
即ち、ストッパ−（第２のストッパ−）Ｓ2 は、第１の荷台支持部材５及び第２の荷台支持部材６の上面より上に位置し、第１の垂直部材１及び第３の垂直部材３に向かうように水平方向に張り出して第２の垂直部材２に取り付けられ、第１の荷台支持部材５に支持された荷台４及び第２の荷台支持部材６に支持された荷台４の前面への移動を荷台４に当接して阻止する。
【００２３】
なお、上述した実施例においては、第１の荷台支持部材５は、第１の垂直部材１、第１’の垂直部材１’、第２の垂直部材２、第２’の垂直部材２’に接続されたが、本願発明にあっては、これに限らず、図示しないが、第１の荷台支持部材は、二分割され、分割片の一方は、第１の垂直部材１と第１’の垂直部材１’に接続され、分割片の他方は、第２の垂直部材２と第２’の垂直部材２’に接続されるようにしても良い。また、同様に、第２の荷台支持部材６は、第２の垂直部材２、第２’の垂直部材２’、第３の垂直部材３、第３’の垂直部材３’に接続されたが、本願発明にあっては、これに限らず、図示しないが、第２の荷台支持部材６は、二分割され、分割片の一方は、第２の垂直部材２と第２’の垂直部材２’に接続され、分割片の他方は、第３の垂直部材３と第３’の垂直部材３’に接続されるようにしても良い。
【００２４】
また、上述した実施例においては、ストッパ−Ｓ1 、Ｓ2 、Ｓ3 は垂直部材１、２、３・・・に取り付けられていたが、次に述べるストッパ−Ｓ’、Ｓ”は、水平部材に取り付けられている。
Ｒは、上述と同様、立体倉庫で、立体倉庫Ｒは、垂直方向に並設した複数の垂直部材１、１’、２、２’と、この垂直部材１、１’、２、２’に直交し、並設した複数の水平部材11、11’、12、12’と、水平部材11、11’、12、12’に接続され、荷台（荷台は、例えば、パレット）４を支持する荷台支持部材５’、６’を複数備え、荷台支持部材５’、６’上に物品30を搭載した荷台４を支持させて収納するようになっている（図８乃至図12参照）。
荷台４の前面、つまり物品30を搭載した荷台４を受け入れる側は、符号Ｒ1 で示される（図８及び図12参照）。水平部材11、12は荷台４を受け入れる側であり、水平部材11の後方に水平部材11’が、水平部材12の後方に水平部材12’がそれぞれ位置している。
【００２５】
水平部材11’、12’に取り付けられるストッパ−Ｓ’は、図９及び図11に示すように、水平部材11’、12’に当接して取り付けられる当接部10と、この当接部10の水平な面10ａより立ち上がって、荷台支持部材５’の上面より突出する突出部20とを備えている。
ストッパ−Ｓ’は、水平な第１の水平部10ｂと、この第１の水平部10ｂより上に向かって略９０°立ち上がる第１の垂直部10ｃと、第１の垂直部10ｃより第１の水平部10ｂの側へ向かうように略９０°折曲する水平な第２の水平部（水平な面10ａ）10ａとを備え、突出部20は、第２の水平部10ａより上に向かって略９０°立ち上がる垂直部となっている。そして、水平部材11’、12’の長手方向を横断する断面は矩形形状となっている。
ストッパ−Ｓ’の水平部材11’、12’への取り付けは、例えば、図９及び図11に示すように、ボルトＢが水平部材11’、12’の長手方向を横断するように、水平部材11’、12’に穴を明け、該穴に対応するようにストッパ−Ｓ’にも穴を開け、これら穴にボルトＢを通し、ボルトＢの先端に設けたナットＮにより締め付けている。
従って、図12に示すように、ストッパ−Ｓ’の突出部20は、荷台４に当接して荷台４の移動を阻止するようになっている。
【００２６】
また、水平部材11、12に取り付けられるストッパ−Ｓ”は、図10及び図12に示すように、水平部材11、12に当接して取り付けられる当接部ａと、この当接部ａの先端は、荷台支持部材５’、６’の上面より突出する突出部ｂとを備えている、例えば、平らな板材で形成されている。
ストッパ−Ｓ”の水平部材11、12への取り付けは、例えば、図10及び図12に示すように、ボルトＢが水平部材11、12の長手方向を横断するように、水平部材11、12に穴を明け、該穴に対応するようにストッパ−Ｓ”にも穴を開け、これら穴にボルトＢを通し、ボルトＢの先端に設けたナットＮにより締め付けている。
従って、図12に示すように、ストッパ−Ｓ”の突出部ｂは、荷台４に当接して荷台４の移動を阻止するようになっている。
【００２７】
前述の実施例においては、ストッパ−Ｓ”を水平部材11、12に取り付けたが、図13乃至図16に示すように、荷台４を支持する荷台支持部材５、６にストッパ−Ｓ''' を設けても良い。
ストッパ−Ｓ''' は、荷台支持部材５、６の上面より上に位置し、荷台４の前面（荷台を受け入れる側）への移動を荷台４に当接して阻止するように荷台支持部材５、６に取り付けられる。取り付けは、例えば、ネジで止めたり、溶接による。
【００２８】
Ｓ''' はストッパ−（第１のストッパ−）で、ストッパ−（第１のストッパ−）Ｓ''' は、ストッパ−部材Ｔ''' とストッパ−取り付け部材Ｐ''' とを有している。このストッパ−取り付け部材Ｐ''' は、第１の垂直部材１の外周に当接するようにＵ字状をなし、ストッパ−部材Ｔ''' は、第１の垂直部材１に当接する板材で、この板材には、ストッパ−取り付け部材Ｐ''' のＵ字状の両端を通す複数の貫通孔101'''、101'''が設けられている。
ストッパ−取り付け部材Ｐ''' のＵ字状の両端をストッパ−部材Ｔ''' の複数の貫通孔101'''、101'''を通してストッパ−部材Ｔ''' とストッパ−取り付け部材Ｐ''' で第１の垂直部材１を挟持し、この挟持状態は、ストッパ−部材Ｔ''' とストッパ−取り付け部材Ｐ''' とを結合する結合部材100'''により保持される。
接合部材100'''は、例えば、ストッパ−部材Ｔ''' に設けられた貫通孔101'''、101'''にストッパ−取り付け部材Ｐ''' の両端に設けた雄螺子102'''を通すと共に、雄螺子102'''を雌螺子103'''、103'''に螺合させて、ストッパ−部材Ｔ''' とストッパ−取り付け部材Ｐ''' とを結合するようにしている。Ｗ、Ｗはワッシャである。
【００２９】
なお、ストッパ−Ｓ''' はストッパ−（第１のストッパ−）を第１の垂直部材１、第２の垂直部材２、第３の垂直部材３、水平部材に取り付けたが、荷台支持部材５に取りつけても良い。
即ち、図１７においては、ストッパ−Ｓ1 ''' を螺子止めにより、図１８においては、ストッパ−Ｓ1 ''' を溶接により荷台支持部材５に取りつけるようにしている。
【図面の簡単な説明】
【００３０】
【図１】図１は、本発明の一実施例の立体倉庫の一部の概略的斜視図である。
【図２】図２は、図１のストッパ−（第１のストッパ−）を分解して示す概略的一部分解斜視図である。
【図３】図３は、図１のストッパ−（第２のストッパ−）を分解して示す概略的一部分解斜視図である。
【図４】図４は、図１の荷台が移動する状態の前後を側面から概略的に見た図であり、（ａ）は、荷台が移動する前の状態を、（ｂ）は、荷台が移動しストッパ−に当接した状態をそれぞれ示している。
【図５】図５は、図１の荷台とストッパ−（第１のストッパ−、第２のストッパ−）との位置関係を示すための概略的平面図である。
【図６】図６は、図１のストッパ−の他の実施例を示すもので、（ａ）は図１のストッパ−（第１のストッパ−）の他の実施例の概略的断面図であり、（ｂ）は図１の第２のストッパ−の他の実施例の概略的断面図である。
【図７】図７（ａ）は図６（ｂ）のストッパ−の他の実施例の概略的断面図であり、（ｂ）は図７（ａ）のストッパ−の他の実施例の概略的断面図である。
【図８】図８は、図１の他の実施例の立体倉庫の一部の概略的斜視図である。
【図９】図９は、図８の一部を分解して示す概略的一部分解斜視図である。
【図１０】図１０は、図８の一部を分解して示す概略的一部分解斜視図である。
【図１１】図１１は、図９の概略的断面図である。
【図１２】図１２は、図８の概略的断面図である。
【図１３】図１３は、図１の他の実施例の立体倉庫の一部の概略的斜視図である。
【図１４】図１４は、図１３の一部を分解して示す概略的一部分解斜視図である。
【図１５】図１５は、図１３の概略的断面図である。
【図１６】図１６は、図１３の概略的側面図である。
【図１７】図１７は、図１の他の実施例の立体倉庫の一部の概略的斜視図である。
【図１８】図１８は、図１の他の実施例の立体倉庫の一部の概略的斜視図である。
【符号の説明】
【００３１】
Ｒ  ・・・・・立体倉庫
１  ・・・・・垂直部材（第１の垂直部材）
１’・・・・・垂直部材
２  ・・・・・垂直部材（第２の垂直部材）
２’・・・・・垂直部材
３  ・・・・・垂直部材（第３の垂直部材）
３’・・・・・垂直部材
４  ・・・・・荷台
５  ・・・・・荷台支持部材
６  ・・・・・荷台支持部材
７  ・・・・・荷台支持部材
30  ・・・・・物品
Ｓ1 ・・・・・ストッパ−
【図１】
2004359463.tif 000003
【図２】
2004359463.tif 000004
【図３】
2004359463.tif 000005
【図４】
2004359463.tif 000006
【図５】
2004359463.tif 000007
【図６】
2004359463.tif 000008
【図７】
2004359463.tif 000009
【図８】
2004359463.tif 000010
【図９】
2004359463.tif 000011
【図１０】
2004359463.tif 000012
【図１１】
2004359463.tif 000013
【図１２】
2004359463.tif 000014
【図１３】
2004359463.tif 000015
【図１４】
2004359463.tif 000016
【図１５】
2004359463.tif 000017
【図１６】
2004359463.tif 000018
【図１７】
2004359463.tif 000019
【図１８】
2004359463.tif 000020